Podtech/llm-jp-corpus-v4-ja_patent huggingface dataset:
(57)【要約】【課題】本発明の課題は、肌なじみ及び保湿力に優れ、しかもベタツキの少ない使用感触に優れた化粧料を提供することである。【解決手段】ラフィノースを０．５重量％〜１０重量％と寒天を０．０５重量％〜１重量％を組合せて配合することにより、相乗的に作用し、保湿力はもとより、肌なじみに優れ、ベタツキの少ない優れた使用感触を得ることが可能となる。【特許請求の範囲】
【請求項１】
ラフィノース及び寒天を含有することを特徴とする化粧料。
【請求項２】
ラフィノースの配合量が１．５重量％〜４重量％、寒天の配合量が０．０５重量％〜１重量％であることを特徴とする請求項１記載の化粧料。
【発明の詳細な説明】
【技術分野】
【０００１】
本発明は、肌なじみや保湿力に優れ、しかもベタツキの少ない化粧料に関する。
【背景技術】
【０００２】
従来、保湿効果を期待した化粧料は数多く市販されている。このような化粧料の多くは優れた保水性・吸水性を有する種々の水溶性多価アルコール、ムコ多糖、高分子等の保湿成分が配合されている。しかしながら、これらの保湿成分を配合した化粧品は、保湿効果はあるもののベタツキのある重い感触のため、使用感に劣り、また官能面でも好ましくなかった。
【０００３】
上記のような従来の問題を解消するために、塩基性アミノ酸残基を構造中に有するポリマーと高分子（キサンタンガム）を組合せ配合する方法や、グリコールとジグリセリンのプロピレンオキサイド付加物を組合せ配合する方法等が提案されているが、未だに肌なじみ及び保湿力に優れ、かつベタツキの少ない使用感触に優れた化粧料を得るに至っていない。
【特許文献１】特開平９−２５５５２４号公報
【特許文献２】特開２００５−３５９４７号公報
【発明の開示】
【発明が解決しようとする課題】
【０００４】
本発明の課題は、肌なじみ及び保湿力に優れ、しかもベタツキの少ない使用感触に優れた化粧料を提供することである。
【課題を解決するための手段】
【０００５】
本発明者は、上記問題を解決するため鋭意研究を重ねた結果、ラフィノースと寒天を組合せて一定量配合することで、肌なじみ及び保湿力に優れ、しかもベタツキの少ない優れた使用感触が得られることを見出し、本発明の完成することに至った。
【０００６】
即ち、ラフィノースを０．５重量％〜１０重量％と寒天を０．０５重量％〜１重量％を組合せて配合することにより、相乗的に作用し、保湿力はもとより、肌なじみに優れ、ベタツキの少ない優れた使用感触を得ることを見出し、本発明の完成することに至った。
【発明の効果】
【０００７】
本発明のラフィノースと寒天を組合せて一定量配合した化粧料は、肌なじみ及び保湿力に優れ、しかもベタツキの少ない優れた使用感触が得られる効果併せて有する。
【発明を実施するための最良の形態】
【０００８】
以下、本発明をより詳しく説明する。
本発明のラフィノースは、一般にはビートやユーカリ樹液や大豆等の植物に含まれるオリゴ糖であり、Ｄ−ガラクトース、Ｄ−グルコース及びＤ−フラクトースの各１分子から構成されるオリゴ糖であれば、特に限定はされないが、ビート糖蜜からクロマトグラフィによって取り出され精製結晶化され天然のオリゴ糖が好ましい。
【０００９】
本発明に用いるラフィノースの配合量は、有効であれば特に限定はされないが、０．５重量％〜１０重量％が好ましい。また、配合量が０．５重量％より少なくなるとその効果が得られない場合が、１０重量％を超えるとベタツキ感等が発生して使用感触が悪くなる虞がある。
【００１０】
本発明の寒天は、テングサ(マクサ)Gelidium  amansii  Lamouroux,その他同属植物（Gelidiaceae）又は諸種紅そう類（Rhodophyta）から得られた粘液を凍結脱水したものを粉末としたものが例示できるが、寒天であれば特に限定はされない。
【００１１】
本発明に用いる寒天の配合量は、有効であれば特に限定はされないが、０．０５重量％〜１重量％が好ましい。また、配合量が０．０５重量％より少なくなるとその効果が得られない場合が、１重量％を超えるとベタツキ感等が発生して使用感触が悪くなる虞がある。
【００１２】
本発明の化粧料には、本発明の有効性を損なわない範囲で、界面活性剤、保湿剤、高級アルコール、金属イオン封鎖剤、天然若しくは合成高分子、紫外線吸収剤、血行促進剤、各種の動植物抽出物、無機及び有機粘土鉱物、疎水化処理粉末、色剤、防腐剤、酸化防止剤、色素、増粘剤、ｐＨ調整剤、香料、冷感剤、制汗剤、殺菌剤、皮膚賦活剤、その他の薬剤等を配合することができ、液体状、乳液状、エッセンス状、クリーム状等の種々の剤型が例示できる。
【実施例】
【００１３】
以下、本発明を実施例及び試験例を例に挙げて詳しく説明するが、本願発明がこれらの例に限定されるものではない。
【００１４】
ラフィノース及び寒天を配合した本発明の乳液の実施例及び比較例の処方を表１及び表２に示す。なお、乳液の製法は常法に従って行い、油相及び水相を加熱後乳化し、冷却後、試料を調製した。
【００１５】
【表１】
2007269747.tif 000002
【００１６】
【表２】
2007269747.tif 000003
【００１７】
比較例として、ラフィノースに替わるオリゴ糖としてパラチノース、その他の糖類としてトレハロース及びソルビトールを保湿成分としてヒアルロン酸、キサンタンガム、グァーガムを比較対照に試料を調製した。
【００１８】
また、試料の評価は専門パネラーによる官能により実施し、詳細は以下に説明する。
【００１９】
〔官能評価方法〕
１．官能評価項目
Ｉ塗布直後のしっとり感、II肌なじみ感、IIIベタツキ感の３項目について実施した。
２．評価方法
表１及び表２に示す実施例処方及び比較例処方で作成した乳液を用い、専門女性パネラー１０名に試料をランダムに使用させる方法を用いた。詳細には、１つの試料について、朝洗願後及び就寝前の毎日２回、適量を顔面に塗布し、それを連続３日間継続し、４日後にしっとり感、肌なじみ感及びベタツキ感の３項目について５段階で自己採点し、評価とした。そして、１０名の平均を４段階に分け評価値とした。評価内容を表３に、実施例及び比較例の評価を表４に示す。なお、本評価を実施する際、皮膚刺激等の肌トラブル等は全くなかった。
【００２０】
【表３】
2007269747.tif 000004
【００２１】
【表３】
2007269747.tif 000005
【００２２】
表４より、本発明である実施例１及び２は、比較例と比べ、しっとり感、肌なじみ感及びベトツキ感全てに優れていることが判明した。また、各比較例の結果より、ラフィノースを他のオリゴ糖を含む糖類と寒天を組合せ配合した場合や寒天に替わる天然高分子や保湿剤とラフィノースを組合せて配合しても、しっとり感、肌なじみ感及びベトツキ感の全てを満足することは出来なかった。このことは、ラフィノース及び寒天の組合せが特異的であり、相乗的にしっとり感、肌なじみ感及びベトツキ感の全ての使用感を向上ささせていることを意味している。
【産業上の利用可能性】
【００２３】
本発明のラフィノースと寒天を組合せて一定量配合した化粧料は、肌なじみ及び保湿力に優れ、しかもベタツキの少ない優れた使用感触が得られる効果併せて有するため、広く化粧料に応用が期待できる。
(57)【要約】【課題】大容量記憶媒体の形状が円形のため、名刺として内容がどのようなものか？外観から内容が類推できなく、整理しにくく、持ち運びに不便であり、使用するには難しくかった。また従来の名刺は紙片への印刷である為、データが紙片上限りであった。【解決手段】図３・図４に示す円形の大容量記憶媒体を本体１のように名刺型にカットする。図１に示す名刺型の本体１は、外観から内容が類推でき整理しやすく持ち運びに便利である。また図２に示す記憶面２の働きにより大容量のデータを名刺に記憶することができる。【選択図】図１
2007250159.tif 000002
【特許請求の範囲】
【請求項１】
名刺の形にカットしたことを特徴とする大容量記憶媒体。
【請求項２】
前記大容量記憶媒体とは、データ記憶媒体である光ディスクメディアで、円盤を名刺サイズにカットした物理的形状であることを特徴とする請求項１記載の大容量記憶媒体。
【発明の詳細な説明】
【技術分野】
【０００１】  この発明は、パソコンなどに使う大容量記憶媒体を名刺型にカットすることにより記憶データを形状で類推することができる形状に関する。また、名刺としては紙片に印刷された文字データに比べ、大容量データを記憶することができる機能に関する。
【背景技術】
【０００２】  従来のパソコン等のデータ保存に用いる大容量記憶媒体の形状は、図３・図４に示すように、円形の形状である。また従来の名刺は図５に示すように紙片への印刷である。【０００３】しかしながら、以上の技術によれば、大容量記憶媒体の形状が円形のため、内容がどのようなものか？外観から類推できなく、整理しにくく、持ち運びに不便であり、名刺としては使用することは難しくかった。従来の名刺は紙片への印刷である為、データが紙片上限りであった。そこで、この発明は、名刺として内容がどのようなものか？外観から類推でき、持ち運び、整理がしやすく、また名刺としては情報を大量に記憶できる機能を提供することを課題とする。
【課題を解決するための手段】
【０００４】  以上の課題を解決するために、第一発明は、名刺型に大容量記憶媒体をカットしたことを特徴とする大容量記憶媒体である。
また、第二発明は、大容量のデータを記憶することを特徴とする名刺である。
【発明の効果】
【０００５】  第一発明、または第二発明によれば、名刺として内容がどのようなものか？外観から類推しやすく、持ち運び、整理がしやすく、また紙型の名刺に比べて大容量のデータを記憶することが出来る
【発明を実施するための最良の形態】
【０００６】  この発明の一実施形態を、図１・図２に示す。
大容量記憶媒体の本体１はプラスチック製であり、本体１の裏面の中心部には、記録面に金色や青緑色の有機色素が塗布されておる２がついている。この記憶面２は円形で不要部分をカットした形状である【０００７】「実施形態の効果」
この実施形態によれば、名刺型の本体１の形状としての働き、大容量記憶媒体の記憶面２の働きで、名刺として内容がどのようなものか？外観から類推しやすく、持ち運び、整理がしやすく、また紙型の名刺に比べて大容量のデータを記憶することが出来る【０００８】「他の実施形態」なし
【図面の簡単な説明】
【０００９】
【図１】この発明の一実施形態の表面を示す正面図である。
【図２】この発明の一実施形態の裏面を示す正面図である。
【図３】従来技術を示す表面の正面図である。
【図４】従来技術を示す裏面の正面図である。
【図５】従来技術を示す正面図である。
【符号の説明】
【００１０】    １  名刺型大容量記憶媒体本体            ２  名刺型大容量記憶媒体の記憶面
【図１】
2007250159.tif 000003
【図２】
2007250159.tif 000004
【図３】
2007250159.tif 000005
【図４】
2007250159.tif 000006
【図５】
2007250159.tif 000007
(57)【要約】【課題】  電磁波の影響がなく安価な電子機器のシールド構造を得る【解決手段】  本発明の電子機器のシールド構造は、絶縁した複数の電子回路を有するプリント基板と、これを遮蔽するシールド部材１とを筐体内に備えており、シールド部材を導電性材料からなる導電性平面体２としその両面を絶縁体３で挟んで貼り合わせたものとし、導電性平面体２を電子回路の領域毎に分離して配置したものである。導電性平面体をシート状、箔状、メッシュ状の金属にするとよい。【選択図】    図３
2007250627.tif 000002
【特許請求の範囲】
【請求項１】
絶縁した複数の電子回路を有するプリント基板と、これを遮蔽するシールド部材とを筐体内に備えた電子機器のシールド構造において、
前記シールド部材は、導電性材料からなる導電性平面体としその両面を絶縁体で挟んで貼り合わせたものとし、前記導電性平面体を前記電子回路の領域毎に分離して配置したことを特徴とする電子機器のシールド構造。
【請求項２】
導電性平面体は、シート状、箔状、メッシュ状の金属であることを特徴とする請求項１記載の電子機器のシールド構造。
【発明の詳細な説明】
【技術分野】
【０００１】
本発明は、電子機器のシールド構造に関する。
【背景技術】
【０００２】
従来の電子機器のシールド構造として、プラスチック筐体に導電性材料を内包、またはメッキを施すことによりシールド効果を得ているものがある。（例えば、特許文献１参照）。
これは、導電性の平面体を内包するプラスチックを電子機器の筐体として利用することで、電子機器の内部と外部を遮蔽し電磁波のシールド効果を得ている。
【特許文献１】特開平５−２９１７７７号公報
【発明の開示】
【発明が解決しようとする課題】
【０００３】
ところが、従来の電子機器のシールド構造は、電子機器を構成している電子回路は必ずしも単一ではなく、複数の絶縁した電子回路を備えた機器も多い。絶縁した電子回路同士は、電磁波を発生する程度や電磁波から影響を受ける耐量もそれぞれ異なることがある。例えば、ある電子回路は強い電磁波を発生する一方で他者の発生する電磁波の影響も受けにくく、別の電子回路では発生する電磁波も弱いが他者の発生する電子回路の影響を受けやすいことがある。このような場合でも、使用する電子部品、筐体の物理的空間等の制約のため、絶縁した複数の電子回路を同一のプリント基板に配置したり、電子部品を筐体内部で三次元的に配置するため絶縁した電子回路の部品同士を重なり合うように配置することがある。その結果、それぞれの電子回路が発生する電磁波が相互に影響をおよぼしあうため機器の動作が不安定になる問題があった。
本発明はこのような問題点に鑑みてなされたものであり、絶縁した複数の電子回路を備えた電子機器において、電磁波の影響を受けにくく、容易に得られるシールド構造を提供することを目的とする。
【課題を解決するための手段】
【０００４】
上記問題を解決するため、本発明は、次のように構成したものである。
請求項１に記載の発明は、絶縁した複数の電子回路を有するプリント基板と、これを遮蔽するシールド部材とを筐体内に備えた電子機器のシールド構造において、前記シールド部材は、導電性材料からなる導電性平面体としその両面を絶縁体で挟んで貼り合わせたものとし、前記導電性平面体を前記電子回路の領域毎に分離して配置したものである。
請求項２記載の発明は、前記導電性平面体を、シート状、箔状、メッシュ状の金属としたものである。
【発明の効果】
【０００５】
請求項１、２に記載の発明によると、筐体内部で絶縁した電子回路の領域ごとに分離したシールドを必要部分に配置するので、電磁波の影響がなく安価な電子機器を得ることができる。
【発明を実施するための最良の形態】
【０００６】
以下、本発明の実施の形態について図を参照して説明する。
【実施例】
【０００７】
図1は、本発明の実施例を示す電子機器の側断面図、図２はその部分斜視図である。図において、１はシールド部材、２は導電性平面体、３は絶縁体、４は電子回路、５は電子部品、６はプリント基板である。７、８は電解コンデンサ、９はヒートシンクである。
シールド部材１は、図３に示すようにＬ字形をしており、図１の電子回路４の電子回路４ａ、４ｂの配置に合わせて二個の領域の導電性平面体２ａ、２ｂと下方の電子部品５ａ、５ｂに対応する導電性平面体２ｃの三つの領域からなっている。
シールド部材１は、図２Ａ−Ａ‘線の断面図を図４に示すように、アルミニウム箔からなる導電性平面体２をポリカーボネートのシートからなる絶縁体３で挟み接着しているものである。
なお、本実施例では導電性平面体２として金属箔を用いたが、他の導電性シート、金属メッシュ等を用いてもよい。
絶縁した電子回路およびその部品同士は近接して配置されているが、本発明のシールド材１を筐体の内部に組み付けることで絶縁した電子回路同士を領域ごとに分離したシールドを得ることができる。
本発明が従来技術と異なる部分は、筐体内部で領域ごとに分離したシールドを簡便に実現するシールド構造およびその製造方法である。
【図面の簡単な説明】
【０００８】
【図１】本発明の実施例を示す電子機器の側断面図
【図２】図１の部分斜視図
【図３】図１におけるシールド部材の斜視図
【図４】図２Ａ−Ａ‘線におけるシールド部材の断面図
【符号の説明】
【０００９】
１  シールド部材
２、２ａ、２ｂ、２ｃ  導電性平面体
３、３ａ、３ｂ  絶縁体
４ａ、４ｂ  電子回路
５、５ａ、５ｂ、５ｃ、５ｄ、５ｅ、５ｆ、５ｇ、５ｈ、５ｉ  電子部品
６  プリント基板
７、８  電解コンデンサ  
９  ヒートシンク  
【図１】
2007250627.tif 000003
【図２】
2007250627.tif 000004
【図３】
2007250627.tif 000005
【図４】
2007250627.tif 000006
(57)【要約】【課題】産業廃棄物であるアルミ缶を有効に再利用し、アルミニウムのみから成る焼結アルミ板を製造する産業廃棄物であるアルミ缶を用いた焼結アルミ板の製造方法及びその製造方法により製造される焼結アルミ板を提供する。【解決手段】小塊１の周囲を繊維状アルミニウム２で埋め、小塊１及び繊維状アルミニウム２の上下を押圧装置により押圧しつつ、アルミニウムの融点付近で炉内で焼結し、全体を融着し、冷却して焼結アルミ板を生成する。繊維状アルミニウム２は小塊１との間の空隙４を充填し、焼結されることにより小塊１は骨材部を形成し、全体が一体に融着される。焼結アルミ板は、上記製造方法により製造される。【選択図】図１
2007056285.tif 000002
【特許請求の範囲】
【請求項１】
産業廃棄物であるアルミ缶を破砕し、圧縮して小塊に形成し、
前記小塊の周囲を繊維状アルミニウムで埋め、
前記小塊及び前記繊維状アルミニウムの上下を押圧装置により押圧しつつ、アルミニウムの融点付近で焼結し、焼結アルミ板を生成することを特徴とする産業廃棄物であるアルミ缶を用いた焼結アルミ板の製造方法。
【請求項２】
前記繊維状アルミニウムは前記小塊との間の空隙を充填し、焼結されることにより前記小塊は骨材部を形成し、全体が一体に融着される請求項１記載の産業廃棄物であるアルミ缶を用いた焼結アルミ板の製造方法。
【請求項３】
請求項１記載の産業廃棄物であるアルミ缶を用いた焼結アルミ板の製造方法により製造されることを特徴とする焼結アルミ板。
【発明の詳細な説明】
【技術分野】
【０００１】
本発明は、産業廃棄物であるアルミ缶を用いた焼結アルミ板の製造方法及びその製造方法により製造される焼結アルミ板に関する。
【背景技術】
【０００２】
従来、特開２００４−３２３９３６号公報（特許文献１）で、産業廃棄物であるアルミ缶を有効に再利用し、アルミニウムのみから成る焼結アルミ板を製造する産業廃棄物であるアルミ缶を用いた焼結アルミ板の製造方法及びその製造方法により製造される焼結アルミ板が本出願人により提案されている。
【特許文献１】特開２００４−３２３９３６号公報
【発明の開示】
【発明が解決しようとする課題】
【０００３】
そこで、本発明は、産業廃棄物であるアルミ缶を有効に再利用し、アルミニウムのみから成る焼結アルミ板を製造する産業廃棄物であるアルミ缶を用いた焼結アルミ板の製造方法及びその製造方法により製造される焼結アルミ板を提供することを目的とする。
【課題を解決するための手段】
【０００４】
上目的を達成するために、本発明の産業廃棄物であるアルミ缶を用いた焼結アルミ板の製造方法は、産業廃棄物であるアルミ缶を破砕し、圧縮して小塊に形成し、
前記小塊の周囲を繊維状アルミニウムで埋め、
前記小塊及び前記繊維状アルミニウムの上下を押圧装置により押圧しつつ、アルミニウムの融点付近で焼結し、焼結アルミ板を生成することを特徴とする。
さらに、本発明の産業廃棄物であるアルミ缶を用いた焼結アルミ板の製造方法は、前記繊維状アルミニウムは前記小塊との間の空隙を充填し、焼結されることにより前記小塊は骨材部を形成し、全体が一体に融着される。
さらに、本発明の焼結アルミ板は、前記産業廃棄物であるアルミ缶を用いた焼結アルミ板の製造方法により製造されることを特徴とする。
【発明の効果】
【０００５】
本発明の産業廃棄物であるアルミ缶を用いた焼結アルミ板の製造方法によれば、産業廃棄物である図示されないアルミ缶を破砕し、圧縮して図1に示される小塊１に形成する。  
次に、小塊１の周囲を繊維状アルミニウム２で埋め、小塊１及び繊維状アルミニウム２の上下を図示されない押圧装置により押圧しつつ、アルミニウムの融点付近で焼結し、焼結アルミ板を生成する。
このため、産業廃棄物である図示されないアルミ缶を用いるため、産業廃棄物の処理上、非常に有効で、建築用断熱材等の種々の用途に使用できる焼結アルミ板を容易に製造できる。
さらに、全体がアルミニウムのみから構成されるため、建築用断熱材等として用いられた後に、再度、産業廃棄物として廃棄される場合にも、金属の種類毎の分別処理が不要となり、一括して再度溶融処理することが出来る。
さらに、本発明の産業廃棄物であるアルミ缶を用いた焼結アルミ板の製造方法によれば、繊維状アルミニウム２は小塊１との間の空隙４を充填し、焼結されることにより小塊１は骨材部を形成し、全体が一体に融着される。  
このため、強固な焼結アルミ板が形成され、建築用断熱材等の種々の用途に使用できる。
さらに、本発明の焼結アルミ板によれば、請求項１記載の産業廃棄物であるアルミ缶を用いた焼結アルミ板の製造方法により製造される。
このため、産業廃棄物である図示されないアルミ缶を用いるため、産業廃棄物の処理上、非常に有効で、建築用断熱材等の種々の用途に使用できる焼結アルミ板を容易に製造できる。
【発明を実施するための最良の形態】
【０００６】
以下、本発明を、その実施例に基づいて、図面を参照して説明する。
【実施例１】
【０００７】
本発明の産業廃棄物であるアルミ缶を用いた焼結アルミ板の製造方法の一実施の形態は、産業廃棄物である図示されないアルミ缶を破砕し、圧縮して図1に示される小塊１に形成する。  この小塊１は、直径１ｃｍ程度に形成することが好適である。
次に、小塊１の周囲を繊維状アルミニウム２で埋め、小塊１及び繊維状アルミニウム２の上下を図示されない押圧装置により押圧しつつ、アルミニウムの融点付近で炉内で焼結し、全体を融着し、さらに、冷却して焼結アルミ板を生成する。
このため、産業廃棄物である図示されないアルミ缶を用いるため、産業廃棄物の処理上、非常に有効で、建築用断熱材等の種々の用途に使用できる焼結アルミ板を容易に製造できる。
さらに、全体がアルミニウムのみから構成されるため、建築用断熱材等として用いられた後に、再度、産業廃棄物として廃棄される場合にも、金属の種類毎の分別処理が不要となり、一括して再度溶融処理することが出来る。
【０００８】
さらに、繊維状アルミニウム２は小塊１との間の空隙４を充填し、焼結されることにより小塊１は骨材部を形成し、全体が一体に融着される。  
このため、強固な焼結アルミ板が形成され、建築用断熱材等の種々の用途に使用できる。
次に、本発明の焼結アルミ板は、上記製造方法により製造される。
このため、産業廃棄物である図示されないアルミ缶を用いるため、産業廃棄物の処理上、非常に有効で、建築用断熱材等の種々の用途に使用できる焼結アルミ板を容易に製造できる。
また、アルミ缶または繊維状アルミニウムの表面処理を行うことにより、焼結アルミ板は軽量で耐火性を有する軽量耐火断熱建築壁材を形成する。
さらに、焼結アルミ板の空隙を利用して騒音を通過させ、この騒音を吸収することができる。
また、焼結アルミ板を建物あるいは隔壁の構成材料として用いた場合に、焼結アルミ板の空隙率が大きいため保水性が大きく通気性が良好となる。このため、この焼結アルミ板に含まれる水分は良く蒸発し、気化熱を周囲から大量に奪い温度を下げる。
【図面の簡単な説明】
【０００９】
【図１】本発明の焼結アルミ板の一実施の形態の断面図である。
【符号の説明】
【００１０】
１  小塊   ２  繊維状アルミニウム     ４  空隙
【図１】
2007056285.tif 000003
(57)【要約】【課題】ＣＯ  削減が最大の課題であり、風車発電はＣＯ  排出ゼロなので自然エネルギ−を最大限に活かし、エネルギ−自給自足の率を高め、都会生活に風車発電機をいかに普及させるのが課題である。【解決手段】都会で風が一番生まれる所はビルとビルの間である、そのビルの角に設置して２面の壁を大きな集風板にして風力を最大限に活かし、あらゆる高さ対応できるユニット化の制御板付左右回転風車発電機。【選択図】図３
2007056853.tif 000002
【特許請求の範囲】
【請求項１】
建物の四つ角を有効利用する、制御板付左右回転の２台の風車を基本ユニットにして、風車同士の相乗効果でＳ字の風を作り、２面の壁を大きな集風板して３方の風を捕らえて発電出力を向上できる垂直軸風車発電機。
【請求項２】
制御板付左右回転風車２台の基本ユニットを重ねる事で、あらゆる高さの建物の角に設置出来てあらゆる方向（３方×４角）の風を捕らえる垂直軸風車発電機。
【発明の詳細な説明】
【技術分野】
【０００１】本発明は建物の四つ角は風の流れが強くなる、その角を有効利用する垂直軸風車発電機に関する。【０００２】本発明は建物が高層化が進んでいるが、ビルとビルの間には強い風が吹いている、自然エネルギ−を最大源に活かす、都会生活に溶け込みエネルギ−分散に貢献できるユニット化垂直軸風車発電機に関する。
【背景技術】
【０００３】今までの風車は単一でしか考えられず発電効率に限界があった、垂直軸風車の欠点である反転作用の問題が解消出来ず市場に良い発明が無い。【０００４】今までは電気エネルギ−は地方の原子力や火力大型発電機から送電線で長距離を送り送電ロス多かった、近未来は電気の自給自足の率をいかに高め、エネルギ−分散が大切である。
【発明の開示】
【発明が解決しようとする課題】
【０００５】都会は建物の高層化が進んでるが、建物四つ角の風力を活用できる発明の良品が無く、自然エネルギ−活かす事が課題です。
【課題を解決するための手段】
【０００６】建物の角（９０度）は風が無いのが課題であるが、二面の壁が大きな集風板にする事で三方（２７０度）の風力を有効利用する、さらに風車の短所である反転作用を抑える制御板付ける事で課題を解決して、風上風下２台の風車にＳ字の風の流れを作って、風車同士の相乗効果で発電出力が向上する風車。【０００７】建物の高さに対応できる風車が無かった、２台の左右回転風車を基本ユニットにして段を重ね対応して、軸受けと制御板を支える為の支柱（４＋１）を縦に通す設計にしてあらゆる高さ対応できる風車。
【発明の効果】
【０００８】数年後燃料電池が台頭して来るが、液体水素を生産原価がかかり天然ガスにたよりＣＯ  削減になるが、風車発電はＣＯ  放出しない、エネルギ−分散とマイクログリット化に貢献できる。【０００９】都会生活の中でエネルギ−の自給自足の率を高めるべきである、本発明は都会生活に溶け込むビジアル的にも効率的にも貢献できる。【００１０】建物に設置する事で災害時の非常電気として利用できる。
【発明を実施するための最良の形態】
【００１１】建物が益々高層化になり、都会で一番風がおきる所がビルとビルの間である、自然資源を生かすのが本発明です、都市計画で考える事が大切です。
【産業上の利用可能性】
【００１２】左右回転の風車２台が基本ユニットなので量産化しやすい。【００１３】今まで風車は都会の中では街灯用の発電機しか無かった、ユニット化と制御板付ける事でビジアル的にも近未来型の風車発電機である。【００１４】この風車が設置できたら、世界中にアピ−ル出来て企業のビィジョンになりシンボルになる。
【図面の簡単な説明】
【００１５】
【図１】  制御板付左右回転基本ユニット風車発電機、正面図
【図２】  制御板付左右回転基本ユニット風車発電機、側面図
【図３】  風の流れを示す左右回転２台風車、    平面断面図
【図４】  本発明の２台×３段＝６台組合せ例、１／２縮小正面斜視図
【符号の説明】
【００１６】  １  屋根
２  上部軸受け
３  上部軸受け梁
４  風車軸
５  支柱
６  風車翼
７  風車円盤
８  前面制御板
９  発電機内蔵箱（電池、整流器、下部軸受け梁、内蔵）
１０  中央制御板
１１  配線スペ−ス
１２  土台
１３  軸受け中心柱
１４  建物の角
１５  風の流れ
【図１】
2007056853.tif 000003
【図２】
2007056853.tif 000004
【図３】
2007056853.tif 000005
【図４】
2007056853.tif 000006
(57)【要約】      （修正有）【課題】地球の重力エネルギーから回転エネルギーを取り出すこと。【解決手段】上掛け水車の場合、水路から水車の頂点目指して水を流していくと、頂点付近に至ったバケットは水を受け止める、受け止められた水は重力となって水車を回転させる。しかし水車は回転途中で水を溢し始めて下支点に至る時には既に水は無い。空のバケットは半円上昇する。水の代わりに条体をエンドレスにして上部滑車から回転体に載せた条体のエンドレスの重力は力点として回転体、回転軸を回して、下部滑車で反転して、上昇行程では回転軸である支点近くを通る作用力を最小限にして上部滑車に至る。は水路から水車の頂点を目指して水が流しこまれる位置とおなじ。【選択図】図２
2007056854.tif 000002
【特許請求の範囲】
【請求項１】
回転軸を持つ回転体の周縁上に条体で出来ているエンドレスを載せた回転体が受ける重力により一方向の回転力を起こしつつ、先行している条体のエンドレスに先導されて下部滑車をグルット回って回転軸近くを上昇して上部滑車に至った条体のエンドレスは再び回転体の周縁上に載り回転体が受ける重力を増して、回転軸に回転力を発生させることを特徴とするエネルギー変換方法。
【発明の詳細な説明】
【技術分野】
【０００１】  本発明は、回転軸を持つ回転体の周縁に条体で出来ているエンドレスを載せた回転体は条体のエンドレスが受ける重力により一方向の回転力を起こしつつ、先行している条体のエンドレスに先導されて回転体の垂直下から外れている下部滑車をグルット回って上昇行程に入り、回転体の邪魔にならない位置から上昇を始めた条体のエンドレスは回転体の邪魔にならない位置で上部滑車に受けとられて再び回転体の周縁上に載せられた、該条体のエンドレスは重力により、回転軸に回転力を発生させることを特徴とするエネルギー変換方法。
【背景技術】
【０００２】  本発明は、上掛け水車を例としている。水車より高い位置にある水路から水車の頂点を目指して水を流していくと、頂点付近に至ったバケットは水を受け止める、受け止められた水はバケットの重力を増して水車を回転させる。しかし水車は回転途中で水を溢し始めて下支点に至る時には既に水は溢れてない。そこからバケットは空荷となった後の半円周の上昇行程が始まる。
多くの人たちはギッタン・バッコ、ギッタン・バッコのシーソー遊びをしたことがあるだろうと思います。子供が大人をバランス台支点近くの作用点に載せて、子供がバランス台の端の力点に載って大人を持ち上げたと喜ぶシーソー原理の応用。
【発明の開示】
【発明が解決しようとする課題】
【０００３】  今日、発達している技術や産業の殆どはエネルギーに依存しているため、欲しがる物のすべてがエネルギー争奪戦を起こしていることになる結果、必然的に温暖化現象は免れないものになっている。この争奪戦を緩やかなものにし、いつまでも続く平和を願うことを課題とする。
【課題を解決しようとする手段】
【０００４】  回転体の円周上に条体で出来ているエンドレスを周縁に載せて、周縁に乗せた条体のエンドレスの重力が回転体、回転軸に下降行程の回転運動を起こす、回転運動を起こしつつ途中で回転体から外れていく条体のエンドレスは自由落下と言えども後続のエンドレスを引いて下部滑車に至る。該条体のエンドレスは下部滑車に至り、そして反転して上昇行程に転じ、回転軸近くを上昇し通過することにより上昇行程の負荷を軽減して上部滑車に至り、上部滑車から回転体の周縁に条体のエンドレスを載せる。この方法を繰り返し行なうことを手段とする。
【発明の効果】
【０００５】  地球の重力エネルギーはどの地方にも概ね平等にあるものであるから、重力エネルギーの争奪戦は起こらなくなる。温暖化も防げる。
【発明を実施するための最良の形態】
【０００６】  以下本発明の最良の形態を図面を参照例として説明する。
図面は本発明による回転力発生装置の基本構成及び作動原理を説明する。
第１図は正面図。
地上に固定された二本の支柱１の頂部には梁２が掛け渡されている。
該梁２には上部滑車支持具４があり回転自在の上部滑車３を取り付けている、上部滑車３の条体のエンドレス９は回転体５に伸ばしている。
回転体５は支柱１の中ほどにあり回転軸６と一対回転する関係にある。
支柱１の下部には回転自在の下部滑車７が取り付けられている、条体のエンドレス９は下部滑車７をグルットまわって上昇行程に入り、回転軸６近くを上昇して、上部滑車３に至る。矢印は条体エンドレスの流れを示す。
第２図
条体のエンドレス９の流れに沿って（イ）からの順に説明する。
（イ）地上に固定された二本の支柱１の頂部に掛け渡されている梁２には上部滑車３を回転自在に支持している。該上部滑車３には条体のエンドレス９が掛けられて回転体５に伸びている。
（ロ）２本の支柱１の中ほどで回転体５を支える回転軸６は回転体５と一対回転する関係にあり、条体のエンドレス９の重量が回転体５の周縁に載ることにより回転体５は重力の作用を受けて矢印方向に回転する。
（ハ）先行する条体のエンドレス９の重量が回転体５の周縁に載り回転体５を矢印方向に回転し、後続の条体のエンドレス９を引いて、回転軸６の角度が横に開いた当たりの位置は、回転軸６からの横方向に遠い位置にあり、条体のエンドレス９の重力は回転軸６の回転運動に変換するのに好都合な位置にある。
（二）条体のエンドレス９に掛かる重力は回転体５と回転軸６に回転運動を起こしながら回転体５から外れていく、外れた条体のエンドレス９にも重力はあり回転体５と回転軸６に回転運動を起こす作用をしながら回転自在の下部滑車７に近づく。
（ホ）下部滑車７は回転体５の垂直下から少し外れた位置にあり、回転自在に取り付けられている、条体のエンドレス９は下部滑車７をグルットまわって上昇行程に入り、回転体５の軸近くを通って上部滑車３へと上昇していく。
（ヘ）上部滑車３は回転自在で回転体５より上にあって、上昇してくる条体のエンドレス９を受けた上部滑車３は反転して、該条体のエンドレス９を下降行程させて回転体５の縁に載せて、再び上掛け水車のエネルギー発生と同様な下降行程に入る。
回転体５と上部滑車３と下部滑車７との周縁が溝であれば条体のエンドレはワイヤー、ロープ、鎖などになる。
回転体５と上部滑車３と下部滑車７との周縁が歯車であれば条体のエンドレスはチェーンなどになる。
上部滑車も下部滑車も滑車の数は１つに限らない。
【図面の簡単な説明】
【０００７】
【図１】  本発明は条体のエンドレス９が上部滑車３から回転体５を回して下部滑車７へ行き上部滑車３に戻る作動原理を示す正面線図。
【図２】  本発明は水車を回す水のエネルギーを条体のエンドレス９に換えてエネルギー発生の基本構成および作動原理を示す斜視図。
【符号の説明】
１・・・支柱
２・・・梁
３・・・上部滑車
４・・・上部滑車支持具
５・・・回転体
６・・・回転軸
７・・・下部滑車
８・・・下部滑車軸
９・・・条体
【図１】
2007056854.tif 000003
【図２】
2007056854.tif 000004
(57)【要約】【課題】従来の筒状の腕カバーは着脱に手間がかかり、手カバーはコンピューター操作時のマウスクリックの防音ができず、腕と手の防寒も期待できなかった。【解決手段】ボタンで止める形式の六角形状平面の布製の腕カバー部２と円形状平面の布製の手カバー部３を逢着して、着脱が簡便にでき、マウスクリックの防音ができ、冬季あるいは夏季冷房時に腕と手を防寒できる腕カバー本体１を形成する。また、カバーに取り付けた指圧マッサージ用のボタンにより、疲労時には指圧のツボ付近を刺激して気分転換ができる。【選択図】      図１
2007056430.tif 000002
【特許請求の範囲】
【請求項１】
六角形平面の布製の腕カバー部と円形平面の布製の手カバー部を逢着して形成したことを特徴とする防音防寒腕カバー。
【請求項２】
腕カバー部と手カバー部の各々に指圧マツサージ効果のあるボタンを取り付けたことを特徴とする請求項１記載の防音防寒腕カバー。
【発明の詳細な説明】
【技術分野】
【０００１】  本発明は、コンピューター操作時におけるマウスクリックの防音及び腕と手の防寒と疲労軽減のための防音防寒腕カバーに関する。
【背景技術】
【０００２】  従来の腕カバーは、図４に示すように、日焼けや汚れを防止することを目的として、筒状の腕カバー部ｂと指掛け手カバー部ｃを接合部ｄで接合して本体ａを造り、指掛止部ｅに指を通し手に固定して使用していたものである。
【発明の開示】
【発明が解決しようとする課題】
【０００３】  しかしながら、以上の技術によれば、筒状の腕カバーは着脱に手間がかかり、手カバーはコンピューター操作時にマウスを握る手の全体を覆う大きさがなく、また手カバーの指掛り部はスムースなマウス操作を阻害した。また、日焼け防止や汚れ防止を目的としたものであるため、マウスクリックの防音及び腕と手の防寒と疲労軽減の効果は期待できなかった。【０００４】  そこで、この発明は、コンピューター操作時に、カバーの着脱が簡便にでき、マウスを操作する手の全体を覆うことができ、スムースなマウス操作を阻害することなく、マウスクリック音の防音ができ、また、冬季や夏季冷房時の室内において腕の防寒ができ、疲労軽減のための腕と手のマッサージ効果のある腕カバーを提供することを課題とする。
【課題を解決するための手段】
【０００５】  以上の課題を解決するために、第一発明は、ボタンで止める形式の六角形平面の布製の腕カバー部と円形平面の布製の手カバー部を逢着して形成したことを特徴とする防音防寒腕カバーである。【０００６】  また、第二発明は、腕カバー部の手三里ツボ付近及び手カバー部の合谷ツボ付近の各々に指圧マッサージ効果のあるボタンを取り付けたことを特徴とする防音防寒腕カバーである。
【発明の効果】
【０００７】  第一発明によれば、平面状の布製のカバーで腕と手の甲を上から覆う形態になるので、コンピューター操作時に、カバーの着脱が簡便にでき、腕下に垂れる布部分とボタンの重さにより安定した状態で使用でき、マウスクリックの防音ができ、寒い室内での腕と手の防寒ができる。【０００８】  また、第二発明によれば、腕と手の指圧のツボ付近を刺激するボタンを上から圧迫することにより、気分転換と疲労軽減が期待できる。
【発明を実施するための最良の形態】
【０００９】  この発明の一実施形態を図１に、平面図を図２に示す。【００１０】  腕カバー本体１は、腕カバー部２と手カバー部３を縫着部分５で縫着して形成する。この手カバー部３は、マウスを操作する手を覆う大きさとし、柔らかい布地の円形平面のカバーとし、縫着部分５以外の縁部に厚めの柔らかい布地の縁４を縫着する。【００１１】  腕カバー部２は、腕を覆うことのできる大きさの、柔らかい布地の六角形平面のカバーとし、右腕用のカバーの場合は、腕を覆った状態の最下部の角部の身体側の一方に装飾効果の高い大きめのボタン６と装飾性のあるストッパーピン７を取り付け、他方の角部にボタン穴８を設ける。左腕用のカバーの場合は、ボタン６とストッパーピン７及びボタン穴８は、右腕用カバーの場合における中心線１１に対して対称の位置に設ける。【００１２】  また、右腕用のカバーの場合は、手カバー部３の、親指と人差し指の付け根の交わる部分に相当する位置の手に接する側には、小さめのボタンの合谷指圧ボタン１０を取り付ける。腕カバー部２の、腕の肘から親指の方に３センチメートル程度の位置の腕に接する側には、小さめのボタンの手三里指圧ボタン９を取り付ける。左腕用のカバーの場合は、合谷指圧ボタン１０及び手三里指圧ボタン９は、右腕用カバーの場合における中心線１１に対して対称の位置に設ける。【００１３】「実施形態の効果」
この実施形態によれば、腕カバーは腕及び手を覆うように装着できるので着脱が簡便であり、また、腕カバー部の下方に垂れる布地とボタンの重さと、手カバー部の厚めの縁により、腕カバーは腕と手の動きに追従することができ、安定した状態で使用できる。【００１４】  また、この腕カバーを装着して使用することにより、コンピューター操作時のマウスのクリック音が防音でき、静寂が要求される場合の周辺への配慮ができる。同時に、冬季や夏季冷房時の室内におけるコンピューター操作時は、腕と手の防寒ができる。【００１５】  また、コンピューター操作時に疲労感を覚えた時は、手のツボの合谷や腕のツボの手三里の付近を軽く刺激することによって気分転換ができ疲労軽減が期待できる。【００１６】「他の実施形態」
この発明の他の実施形態を図３に示す。【００１７】  図１の実施形態では、腕カバー本体１は腕と手の両方を覆うものであったが、コンピューター操作時のクリック音の防音が不要である場合は、図３の他の実施形態１のように、手カバー部３を腕側に折り返すことができ、腕の防寒を主目的とした形態で使用できるものとしても良い。【００１８】  また、腕の防寒が不要である場合は、図３の他の実施形態２のように、腕カバー部２を中程から手の方に折り返し、クリック音の防音を主目的とした形態で使用できるものとしても良い。
【図面の簡単な説明】
【００１９】
【図１】この発明の一実施形態を示す斜視図である。
【図２】この発明の平面図である。
【図３】この発明の他の実施形態を示す斜視図である。
【図４】従来技術を示す斜視図である。
【符号の説明】
【００２０】  １  腕カバー本体
２  腕カバー部
３  手カバー部
４  縁
５  縫着部分
６  ボタン
７  ストッパーピン
８  ボタン穴
９  手三里指圧ボタン
１０  合谷指圧ボタン
１１  中心線
１２  手カバー部の円の中心
１３  右腕
１４  マウス
ａ  本体
ｂ  筒状の腕カバー部
ｃ  指掛け手カバー部
ｄ  接合部
ｅ  指掛止部
【図１】
2007056430.tif 000003
【図２】
2007056430.tif 000004
【図３】
2007056430.tif 000005
【図４】
2007056430.tif 000006
(57)【要約】【課題】  手にはめ周りの物に掴まり体を支える補助具を提供する。【解決手段】  手に装着可能な手挿入体と掌部の表裏に設けられたゴムや樹脂などの防滑素材よりなる防滑機構とよりなり、手すりや机の角等につかまり立ち上がったり体を支える事を補助することを、特徴とする体支持補助具。【選択図】  図２
2007056428.tif 000002
【特許請求の範囲】
【請求項１】
手に装着可能な手挿入体と掌部の表裏に設けられたゴムや樹脂などの防滑素材よりなる防滑機構とよりなり、手すりや机の角等につかまり立ち上がったり体を支える事を補助する体支持補助具。
【請求項２】
掌側生地と甲側生地よりなり対向する方向から各々手を挿入可能な手挿入体と、手挿入体の側辺に設けられ手を挿入した状態で親指を露出させる指穴と、掌側生地と表裏に設けられたゴムや樹脂などの防滑素材よりなる防滑機構とよりなり、手すりや机の角等につかまり立ち上がったり体を支える事を補助する体支持補助具。
【請求項３】
手挿入体は手に装着した段階で親指以外の任意の指先の第一関節が露出する大きさ、形状よりなるものであることを特徴とする請求項１又は２記載の体支持補助具。
【発明の詳細な説明】
【技術分野】
【０００１】  本発明は、手に装着し周りの物に掴まり体を支える補助具に関するものである。
【背景技術】
【０００２】  従来、軍手などの手袋の表面にゴム製の滑り止めが付いてあるものがあった。
【発明の開示】
【発明が解決しようとする課題】
【０００３】  （イ）接触面の防滑性は高いが手のひらとの防滑性が低いため、握力が弱い人や手の不自由な方が手すりなどで滑らせることがあった。
（ロ）夏場など手袋を使用するには不向きな時期が合った。
（ハ）手が不自由な人は手への装着が困難であった。
本発明は、これらの問題点を解決するためになされたものである。
【課題を解決するための手段】
【０００４】  手に装着可能な手挿入体と掌部の表裏に設けられたゴムや樹脂などの防滑素材よりなる防滑機構とよりなり、手すりや机の角等につかまり立ち上がったり体を支える事を補助する。以上を特徴とする体支持補助具である。
【発明の効果】
【０００５】掌側生地の表裏に設けられた防滑素材による防滑効果により、掌がすべることなく指穴から親指を出すことにより使用中に抜け落ちることなく使用でき、対向する方向からも手を挿入することも出来る。親指以外の任意の指先の第一関節が露出するため、掴むなどの行為を補助でき、甲側の生地をタオルとして使用でき持ち運びができるためどこでも使用できる。
【発明を実施するための最良の形態】
【０００６】  以下、本発明の実施の形態について説明する。
（イ）図１に示すように手を覆う大きさの方形の甲生地（１）と掌生地（２）を重ねあわせ、挿入口（５）ができるように左右側辺付近で縫い筒状にする。
（ロ）側辺の中央は縫わず親指を出す指穴（４）を設ける。
（ハ）掌側の生地の表裏に防滑素材（３）を、全面に設ける。
本発明は以上のような構成で、これを使用するときは、挿入口（５）から手を入れて指穴（４）から親指を外に出して装着する。この際甲生地と掌生地は図４の示すように装着した際人差し指から小指の第一関節が出る大きさとなる。
露出された親指以外の任意の指先で補助をしながら手すりを掴み、体重を加えながら体を引き上げる。そのとき防滑素材（３）の効果により滑ることなく体を引き上げられ、指穴（４）から親指を出しているため抜け落ちることなく幾度も同様の行為を続けることができる。
甲生地（１）を吸水素材とすることで、汗をぬぐったりすることができる。
【実施例１】
【０００７】以上の記した形態以外に、一枚の生地の両端を縫い合わせ筒状にした形態や、伸縮性のある生地を使用することも考えられる。伸縮性のある生地を使用することによって、手への密着度が増すため、手からの落下防止につながり、使用中の手と生地との滑りも軽減されより防滑効果が期待できる。【０００８】その他に掌生地の中にスポンジや綿などの衝撃吸収の効果のある素材を入れることも考えられる。衝撃吸収の効果のある素材を入れることにより使用中の掌への負担を軽減できる
【図面の簡単な説明】
【０００９】
【図１】本発明の斜視図
【図２】本発明を上下に切り離した図
【図３】本発明の掌生地の一部の側面図
【図４】本発明の装備状態の図
【符号の説明】
【００１０】  １  甲生地
２  掌生地
３  防滑素材
４  指穴
５  挿入口
６  縫合部
【図１】
2007056428.tif 000003
【図２】
2007056428.tif 000004
【図３】
2007056428.tif 000005
【図４】
2007056428.tif 000006
(57)【要約】      （修正有）【課題】くつ下を長時間はいていると足がむれる。それを吸収して、むれを防ぐこと。【解決手段】くつ下内部の爪先部、足底部及び踵部を、内側を繊維状超吸水性ポリマー、外側を弾性体の２層構造のカバーでつつむ。指は５本指くつ下状とする。【選択図】図１
2007056436.tif 000002
【特許請求の範囲】
【請求項１】
繊維状超吸水性ポリマーを使用すること
【請求項２】
５本指くつ下状のもの
【請求項３】
ゴム等の弾性体で包み込み、ずれない様にした
【発明の詳細な説明】
【背景技術】足のむれをふせぐものいろいろ有るけれど、本請求項にあるもの、この様なすぐれたものはなかった
【発明が解決しようとする課題】
くつを長時間はいていると足がむれる、それを吸収して、むれを防ぐのが課題
【課題を解決するための手段】
請求項に示した方法
【実施例】図２に示した様なもの
【図面の簡単な説明】
【図１】基本形
【図２】実施例
【図３】ａ−ａ断面図
【符号の説明】
１  ゴム等の弾性体
２  繊維状超吸水性ポリマー
【図１】
2007056436.tif 000003
【図２】
2007056436.tif 000004
【図３】
2007056436.tif 000005
【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
繊維状超吸水性ポリマーを使用すること．
【請求項２】
５本指一体型又は指サック型のもの．
【請求項３】
ゴム等の弾性材料で包み、ずれない様にしたもの．
【請求項４】
使い捨て、として使用する．
【手続補正２】
【補正対象書類名】明細書
【補正対象項目名】全文
【補正方法】変更
【補正の内容】
【発明の詳細な説明】
【背景技術】足のむれを防ぐものいろいろ有るけれど、本請求項に有るもの、この様なすぐれたものは無かった、
【発明が解決しようとする課題】
靴を長時間はいていると足がむれる、それを吸収して、むれを防ぐのが課題、
【課題を解決する為の手段】
請求項に示した方法
【実施例】５本指一体型（図１〜図３）又は指サック型（図４〜図５）の様なもの
【図面の簡単な説明】
【図１】５本指一体型の基本形
【図２】５本指一体型の実施例
【図３】５本指一体型のａ−ａ断面図
【図４】指サック型の斜視図
【図５】指サック型のｂ−ｂ断面図
【符号の説明】
１、ゴム等の弾性体
２、繊維状超吸水性ポリマー
３、ゴム等の弾性体で作られた、足用指サック
４、繊維状超吸水性ポリマー
【手続補正３】
【補正対象書類名】図面
【補正対象項目名】全図
【補正方法】変更
【補正の内容】
【図１】
2007056436.tif 000006
【図２】
2007056436.tif 000007
【図３】
2007056436.tif 000008
【図４】
2007056436.tif 000009
【図５】
2007056436.tif 000010
(57)【要約】【課題】自転車等搭乗の際、直付けのバックミラーの代わりに、装着しただけで手軽にバックミラーを利用できる、バイク用鏡付きグローブを提供する。【解決手段】グローブの甲部分に、鏡と台座の組み合わせによる鏡台を配置し、乗車時、つまり手がハンドルに乗せられた状態で、鏡を立たせて利用することを特徴とする。【選択図】  図１
2007056435.tif 000002
【特許請求の範囲】
【請求項１】
グローブの甲部分に、使用状態において立てた鏡が指先方向に直交する状態で鏡面が手首に向くよう鏡を配置したバイク用鏡付きグローブ。
【請求項２】
鏡と台座の組み合わせによる折り畳み式の鏡台を配置した請求項１のバイク用鏡付きグローブ。
【請求項３】
台座と鏡を支柱によってつなげた鏡台を、グローブの甲部分に配置したバイク用鏡付きグローブ。
【請求項４】
前項の支柱を折り畳める状態にした、請求項３のバイク用鏡付きグローブ。
【請求項５】
回動部材を介することで鏡台部分を回動させることが出来るようにした、請求項１〜４のいずれか１項に記載のバイク用鏡付きグローブ。
【請求項６】
鏡台とグローブの間に間挿部材を介した請求項１〜５のいずれか１項に記載のバイク用鏡付きグローブ。
【請求項７】
間挿部材を仮接着材により取り外し自由にした、請求項６に記載のバイク用鏡付きグローブ。
【発明の詳細な説明】
【技術分野】
【０００１】  この発明は、グローブに鏡を設けた、バイク用鏡付きグローブに関するものである。なお、ここで言うバイクとは自動二輪、自転車などのことである。
【背景技術】
【０００２】  従来、自転車を運転する際、バックミラーがあれば便利にも関わらず、ほとんどの自転車には備わっていなかった。
【発明の開示】
【発明が解決しようとする課題】
【０００３】  これは、次のような理由があった。
従来、自転車にバックミラーを取り付けると、その利便性を得る代わりに、幅員の増加に伴う機動性の損失が見られた。
本発明は、以上のような問題を解決するために発案されたものである。
【課題を解決するための手段】
【０００４】  乗り物にバックミラーを直接付けるのではなく、体の部位にそれに代わる機能を持たせればよい。
その際、バックミラーの位置に近いハンドル部、つまり手の甲にバックミラーの機能が備わればよい。
グローブの甲部分に鏡と台座の組み合わせによる鏡台を取り付ける。
本発明は、以上の構成よりなるバイク用鏡付きグローブである。
【発明の効果】
【０００５】  一度グローブを装着すれば、手軽にバックミラーの効果が得られるので、自転車の機敏性、利便性を損なうことなくより安全に自転車を操縦できる。
法的にバックミラーの取り付けが義務づけられている自動二輪に関しても、死角を補う補助的な役割が期待できる。また、転倒などによりバックミラーを損傷した場合の緊急用として安全な走行を提供できる。
【発明を実施するための最良の形態】
【０００６】  以下、本発明を実施するための最良の形態について説明する。
グローブ１の甲部分に鏡２ａと台座２ｂの組み合わせによる鏡台２を設ける。
通常の使用時は、図１のように指先方向と鏡２ａが直交するように配置され、鏡面２ｃが手首方向を向くように配置することで、手をバイクのハンドルに置いた状態で自然に背後の様子がうかがえるようになっている。
鏡２に関しては、通常のグローブとして使用に耐え得るために、折畳み式を採用することも出来る。図２は鏡を折り畳んだ状態である。折畳みには蝶番やネジなどを利用する。
より広範な視界を確保する為、図４に示すように支柱４に鏡２ａを取り付け、台座２ｂと介することも出来る。その際、支柱４は折畳み、もしくは取り外しが出来る。支柱４と鏡２ａ、鏡２ａと台座２ｂはネジやポールジョイントなどで接合する
鏡台２は、より広範に背後を確認できるよう、図５に示すようにネジやポールジョイントなどの回動部材５により左右に回動させることも出来る。
手の動きが損なわれないように、鏡台２を間挿部材３に接合し、それとグローブ１を接着することも出来る。間挿部材３はウレタンのような素材を、鏡台２接着面の裏面とグローブ１の甲部分を全面接着することも出来るし、布のような素材を、その両端（グローブの親指側と小指側）をグローブと接着することも出来る。その際、接着部分をマジックテープ（商標）やボタンなどの仮接着部材６で仮止めすることで、図６のようにグローブから取り外すことも可能である。
本発明は、以上のような構造で、自転車等に搭乗する際装着する。鏡部分で後部状況を確認できる。
【図面の簡単な説明】
【０００７】
【図１】  本発明の鏡を開いた状態の斜視図である。
【図２】  本発明の鏡を閉じた状態の斜視図である。
【図３】  本発明の分解斜視図である。
【図４】  本発明の鏡と台座を支柱を介した状態の斜視図である。
【図５】  本発明の鏡台を回動させた状態の斜視図である。
【図６】  本発明の間挿部材を取り外した状態の斜視図である。
【符号の説明】
【０００８】  １    グローブ
１ａ  バイク用鏡付きグローブ全体
１ｂ  支柱を取り付けたバイク用鏡付きグローブ全体
１ｃ  鏡台を回動させたバイク用鏡付きグローブ全体
１ｄ  間挿部材を取り外したバイク用鏡付きグローブ全体
２    鏡台
２ａ  鏡
２ｂ  台座
２ｃ  鏡面
３    間挿部材
４    支柱
５    回動部材
６    仮接着部材
【図１】
2007056435.tif 000003
【図２】
2007056435.tif 000004
【図３】
2007056435.tif 000005
【図４】
2007056435.tif 000006
【図５】
2007056435.tif 000007
【図６】
2007056435.tif 000008